(57)【要約】【課題】斜材が、地震時に梁に作用する水平力に十分に抵抗できるようにすることにより、建物の耐震性を効果的に高め、かつ、建物の経済的な施工を可能にすること。【解決手段】建物は、間隔を置かれた第１柱及び第２柱と、前記第１柱と前記第２柱との間の梁と、前記第２柱から外方へ間隔を置かれた第３柱と、前記第２柱と前記第３柱との間に配置され、前記第２柱に取り付けられた第１ガセットプレートであって前記梁と同じ高さに位置する第１ガセットプレートと、前記第２柱と前記第３柱との間に配置され、該第３柱に取り付けられた第２ガセットプレートであって前記第１ガセットプレートと異なる高さに位置する第２ガセットプレートと、前記第２柱と前記第３柱との間に配置され、前記第２柱に前記第１ガセットプレートを介して取り付けられ、前記第３柱に前記第２ガセットプレートを介して取り付けられた斜材とを含む。【選択図】図１
2011140751.tif 000002
【特許請求の範囲】
【請求項１】
水平方向に間隔を置かれた第１柱及び第２柱と、
前記第１柱と前記第２柱との間に設けられた梁と、
前記第２柱から水平方向における外方へ間隔を置かれた第３柱と、
前記第２柱と前記第３柱との間に配置され、前記第２柱に取り付けられた第１ガセットプレートであって前記梁と同じ高さに位置する第１ガセットプレートと、
前記第２柱と前記第３柱との間に配置され、該第３柱に取り付けられた第２ガセットプレートであって前記第１ガセットプレートと異なる高さに位置する第２ガセットプレートと、
前記第２柱と前記第３柱との間に配置され、前記第２柱に前記第１ガセットプレートを介して取り付けられ、前記第３柱に前記第２ガセットプレートを介して取り付けられた斜材とを含む、建物。
【請求項２】
前記第２ガセットプレートの位置は前記第１ガセットプレートの位置より低く、
前記斜材の上端部は前記第１ガセットプレートに結合されており、前記斜材の下端部は前記第２ガセットプレートに結合されている、請求項１に記載の建物。
【請求項３】
前記第２ガセットプレートの位置は前記第１ガセットプレートの位置より高く、
前記斜材の上端部は前記第２ガセットプレートに結合されており、前記斜材の下端部は前記第１ガセットプレートに結合されている、請求項１に記載の建物。
【請求項４】
水平方向に間隔を置かれた第１柱及び第２柱と、
前記第１柱と前記第２柱との間に設けられた梁と、
前記第２柱から水平方向における外方へ間隔を置かれた第３柱と、
前記第２柱と前記第３柱との間に配置され、前記第２柱に取り付けられた第１ガセットプレートであって前記梁と同じ高さに位置する第１ガセットプレートと、
前記第２柱と前記第３柱との間に上下方向に間隔を置いて配置され、それぞれが前記第３柱に取り付けられた第２ガセットプレート及び第３ガセットプレートであって前記第１ガセットプレートより高い高さに位置する第２ガセットプレート及び前記第１ガセットプレートより低い高さに位置する第３ガセットプレートと、
上端部が前記第２ガセットプレートに、下端部が前記第１ガセットプレートにそれぞれ結合された第１斜材と、上端部が前記第１ガセットプレートに、下端部が前記第３ガセットプレートにそれぞれ結合された第２斜材とを含む、建物。
【発明の詳細な説明】
【技術分野】
【０００１】
本発明は、建物に関する。
【背景技術】
【０００２】
従来、建物には、水平方向に間隔を置かれた第１柱及び第２柱と、前記第１柱と前記第２柱との間に設けられた第１梁と、前記第２柱から水平方向における外方へ間隔を置かれた第３柱と、前記第２柱と前記第３柱との間に設けられ、前記第１梁と同じ高さに位置する第２梁と、該第２梁の上に配置された斜材とを有するものがある。前記建物は、前記第２梁の上に前記第２柱に隣接して配置され、これらに取り付けられたガセットプレートを有し、前記斜材の下端部は前記ガセットプレートに結合されている（特許文献１参照）。
【０００３】
地震時に前記第１梁に水平力が作用したとき、該水平力は、前記第２梁と前記ガセットプレートとに伝わり、該ガセットプレートから前記斜材に伝わり、該斜材は前記水平力に抵抗する。これにより建物の耐震性を高めることができる。
【先行技術文献】
【特許文献】
【０００４】
【特許文献１】特開２００４−２７０３１９号公報
【発明の概要】
【発明が解決しようとする課題】
【０００５】
しかし、前記水平力の多くは、前記第１梁と同じ高さに位置する前記第２梁に伝わり、前記水平力を前記ガセットプレートに効果的に伝えることができない。このため、前記斜材は前記水平力に十分に抵抗することができず、建物の耐震性を効果的に高めることができない。また、前記第２梁は、前記水平力に抵抗しなければならず、比較的大型であり、前記第２梁の施工に多くの時間と費用とを要する。
【０００６】
本発明の目的は、斜材が、地震時に梁に作用する水平力に十分に抵抗できるようにすることにより、建物の耐震性を効果的に高め、かつ、建物の経済的な施工を可能にすることである。
【課題を解決するための手段】
【０００７】
本発明は、斜材が、間隔を置かれた２つの柱の間の梁と同じ高さに位置するガセットプレートを介して前記２つの柱のうち一方の柱に取り付けられていることにより、地震時に前記梁に作用する水平力が前記ガセットプレートに効果的に伝わるようにし、前記斜材が前記水平力に十分に抵抗できるようにする。これにより、建物の耐震性を効果的に高め、前記一方の柱とこれから間隔を置かれた他の柱との間に他の梁を要することなく建物が地震に耐えられるようにし、前記他の梁の施工に多くの時間と費用とを要することなく建物を経済的に施工できるようにする。
【０００８】
本発明に係る建物は、水平方向に間隔を置かれた第１柱及び第２柱と、前記第１柱と前記第２柱との間に設けられた梁と、前記第２柱から水平方向における外方へ間隔を置かれた第３柱と、前記第２柱と前記第３柱との間に配置され、前記第２柱に取り付けられた第１ガセットプレートであって前記梁と同じ高さに位置する第１ガセットプレートと、前記第２柱と前記第３柱との間に配置され、該第３柱に取り付けられた第２ガセットプレートであって前記第１ガセットプレートと異なる高さに位置する第２ガセットプレートと、前記第２柱と前記第３柱との間に配置され、前記第２柱に前記第１ガセットプレートを介して取り付けられ、前記第３柱に前記第２ガセットプレートを介して取り付けられた斜材とを含む。
【０００９】
地震時に前記梁に水平力が作用したとき、該水平力は、前記第１ガセットプレートに伝わり、該第１ガセットプレートから前記斜材に伝わり、該斜材は前記水平力に抵抗する。前記斜材が、前記第１柱と前記第２柱との間の前記梁と同じ高さに位置する前記第１ガセットプレートを介して前記第２柱に取り付けられているため、前記水平力は前記第１ガセットプレートに効果的に伝わり、前記斜材は前記水平力に十分に抵抗することができる。これにより前記建物の耐震性を効果的に高めることができる。また、前記建物の耐震性を高めることにより、前記第２柱と前記第３柱との間に、前記梁と同じ高さに位置する他の梁を要することなく前記建物が地震に耐えられるようにすることができ、前記他の梁の施工に多くの時間と費用とを要することなく前記建物を経済的に施工することができる。
【００１０】
前記第２ガセットプレートの位置は、前記第１ガセットプレートの位置より低いものとすることができる。この場合、前記斜材の上端部は前記第１ガセットプレートに結合されており、前記斜材の下端部は前記第２ガセットプレートに結合されている。前記第２ガセットプレートの位置は、前記第１ガセットプレートの位置より高いものとすることができる。この場合、前記斜材の上端部は前記第２ガセットプレートに結合されており、前記斜材の下端部は前記第１ガセットプレートに結合されている。
【００１１】
本発明に係る他の建物は、水平方向に間隔を置かれた第１柱及び第２柱と、前記第１柱と前記第２柱との間に設けられた梁と、前記第２柱から水平方向における外方へ間隔を置かれた第３柱と、前記第２柱と前記第３柱との間に配置され、前記第２柱に取り付けられた第１ガセットプレートであって前記梁と同じ高さに位置する第１ガセットプレートと、前記第２柱と前記第３柱との間に上下方向に間隔を置いて配置され、それぞれが前記第３柱に取り付けられた第２ガセットプレート及び第３ガセットプレートであって前記第１ガセットプレートより高い高さに位置する第２ガセットプレート及び前記第１ガセットプレートより低い高さに位置する第３ガセットプレートと、上端部が前記第２ガセットプレートに、下端部が前記第１ガセットプレートにそれぞれ結合された第１斜材と、上端部が前記第１ガセットプレートに、下端部が前記第３ガセットプレートにそれぞれ結合された第２斜材とを含む。
【発明の効果】
【００１２】
本発明によれば、斜材が、間隔を置かれた第１柱と第２柱との間の梁と同じ高さに位置する第１ガセットプレートを介して前記第２柱に取り付けられているため、地震時に前記梁に水平力が作用したとき、該水平力は前記第１ガセットプレートに効果的に伝わり、前記斜材は前記水平力に十分に抵抗することができる。これにより建物の耐震性を効果的に高めることができる。また、前記建物の耐震性を高めることにより、前記第２柱と該第２柱から間隔を置かれた第３柱との間に他の梁を要することなく前記建物が地震に耐えられるようにすることができ、前記他の梁の施工に多くの時間と費用とを要することなく前記建物を経済的に施工することができる。
【図面の簡単な説明】
【００１３】
【図１】本発明の第１実施例に係る建物の正面図。
【図２】図１の線２における建物の拡大図。
【図３】本発明の第２実施例に係る建物の正面図。
【図４】本発明の第３実施例に係る建物の正面図。
【図５】本発明の第４実施例に係る建物の正面図。
【図６】図５の線６における建物の水平断面図。
【図７】本発明の第５実施例に係る建物の水平断面図。
【図８】図７の線８における建物の縦断面図。
【図９】本発明の第６実施例に係る建物の水平断面図。
【図１０】図９の線１０における建物の縦断面図。
【図１１】本発明の第７実施例に係る建物の正面図。
【図１２】本発明の第８実施例に係る建物の正面図。
【図１３】本発明の第９実施例に係る建物の正面図。
【図１４】本発明の第９実施例に係る建物が地震時に曲げ変形した状態を示す図。
【図１５】本発明の第９実施例に係る建物が地震時にせん断変形した状態を示す図。
【図１６】本発明の第１０実施例に係る建物の正面図。
【図１７】本発明の第１１実施例に係る建物の正面図。
【図１８】図１７の線１８における建物の水平断面図。
【図１９】本発明の第１２実施例に係る建物の正面図。
【発明を実施するための形態】
【００１４】
図１に示すように、建物１０が構築されている。建物１０は、水平方向（第１水平方向）に間隔を置かれた第１柱１２及び第２柱１４と、第１柱１２と第２柱１４との間に設けられた梁（第１梁）１６と、該第１梁から下方へ間隔を置かれた第２梁１８と、第２柱１４から前記第１水平方向における外方へ間隔を置かれた第３柱２０と、第２柱１４と第３柱２０との間に配置された斜材２２とを有する。第１柱１２、第２柱１４、第３柱２０、第１梁１６及び第２梁１８のそれぞれは鉄筋コンクリートからなる。
【００１５】
建物１０は、第２柱１４と第３柱２０との間に配置され、第２柱１４に取り付けられた第１ガセットプレート２４と、第２柱１４と第３柱２０との間に配置され、該第３柱に取り付けられた第２ガセットプレート２６とを有する。斜材２２は第１ガセットプレート２４を介して第２柱１４に取り付けられており、第２ガセットプレート２６を介して第３柱２０に取り付けられている。
【００１６】
第１ガセットプレート２４は第１梁１６と同じ高さに位置し、第２ガセットプレート２６は第１ガセットプレート２４と異なる高さに位置する。図１に示した例では、第２ガセットプレート２６の位置は第１ガセットプレート２４の位置より低く、斜材２２の上端部は第１ガセットプレート２４に結合されており、斜材２２の下端部は第２ガセットプレート２６に結合されている。
【００１７】
斜材２２はダンパーからなる。前記ダンパーは、内部にモルタルが充填された鋼管２２ａと、該鋼管の内部を経て伸びる、低降伏点鋼からなる芯材２２ｂとからなる（例えば、商品名「アンボンドブレース」  新日鉄エンジニアリング株式会社製）。芯材２２ｂは、前記モルタルに定着しておらず、軸力を受けて変形し、鋼管２２ａは芯材２２ｂの座屈を防止する。このため、芯材２２ｂは、圧縮力を受けたとき、座屈することなく変形する。前記ダンパーは、芯材２２ｂが変形することにより、地震時に建物１０に作用する振動エネルギーを吸収する。前記ダンパーは、内部に前記モルタルが充填された鋼管２２ａと、該鋼管の内部を経て伸びる芯材２２ｂとからなる上記の例に代え、オイルダンパーのような他のダンパーでもよい。
【００１８】
図２に示すように、第１ガセットプレート２４は、該第１ガセットプレートの端部に固定された、複数の貫通穴２８を有する端部プレート３０を有する。第１ガセットプレート２４は、端部プレート３０の各貫通穴２８を経て伸びる、端部プレート３０の一方の側において第２柱１４に固定されたボルト３２と、端部プレート３０の他方の側においてボルト３２に螺合されたナット３４とにより、第２柱１４に取り付けられている。第１ガセットプレート２４及び第２ガセットプレート２６のそれぞれは鋼製である。
【００１９】
第１ガセットプレート２４への斜材２２の上端部の結合は、それぞれの一端部が第１ガセットプレート２４に、他端部が斜材２２の上端部にそれぞれ隣接して配置された複数の添接材３６と、各添接材の前記一端部及び第１ガセットプレート２４を貫く、これらの一方の側に頭部が配置されたボルト３８と、これらの他方の側においてボルト３８に螺合されたナット（図示せず）と、各添接材３６の前記他端部及び斜材２２の上端部を貫く、これらの一方の側に頭部が配置されたボルト４０と、これらの他方の側においてボルト４０に螺合されたナット（図示せず）とによりなされている。これに代え、第１ガセットプレート２４への斜材２２の上端部の結合は、斜材２２の上端部を第１ガセットプレート２４に溶接することによりなされていてもよい。
【００２０】
地震時に第１梁１６に水平力が作用して建物１０が振動することにより、該建物に振動エネルギーが作用する。このとき、前記水平力は、第１ガセットプレート２４に伝わり、該第１ガセットプレートから斜材２２に伝わり、該斜材は第１ガセットプレート２４及び第２ガセットプレート２６から軸力を受けて変形する。第１梁１６が第１柱１２から第２柱１４に向けて（図１における右向き）の水平力を受けたとき、斜材２２は第１ガセットプレート２４及び第２ガセットプレート２６から圧縮力を受けて変形する。他方、第１梁１６が第２柱１４から第１柱１２に向けて（図１における左向き）の水平力を受けたとき、斜材２２は第１ガセットプレート２４及び第２ガセットプレート２６から引張力を受けて変形する。このようにして斜材２２が変形することにより、該斜材の芯材２２ｂは降伏し、これにより前記振動エネルギーは消費され、建物１０の振動が小さくなる。
【００２１】
第１柱１２と第２柱１４との間の第１梁１６と同じ高さに位置する第１ガセットプレート２４を介して斜材２２が第２柱１４に取り付けられているため、地震時に第１梁１６に作用した水平力は第１ガセットプレート２４に効果的に伝わり、前記振動エネルギーは斜材２２により効果的に低減される。これにより、第２柱１４と第３柱２０との間に、第１梁１６と同じ高さに位置する他の梁（図示せず）を要することなく建物１０が地震に耐えられるようにすることができ、前記他の梁の施工に多くの時間と費用とを要することなく建物１０を経済的に施工することができる。
【００２２】
斜材２２は、ダンパーである上記の例に代え、普通鋼からなる、Ｈ形鋼、溝形鋼等のような部材でもよいし、内部にモルタルが充填された鋼管と、該鋼管の内部を経て伸びる、普通鋼からなる芯材とからなるものでもよい。この場合、前記水平力が第１ガセットプレート２４に効果的に伝わることにより、斜材２２は前記水平力に十分に抵抗することができ、建物１０の耐震性を効果的に高めることができる。これにより、第２柱１４と第３柱２０との間に前記他の梁を要することなく建物１０が地震に耐えられるようにすることができ、前記他の梁の施工に多くの時間と費用とを要することなく建物１０を経済的に施工することができる。
【００２３】
第２ガセットプレート２６は、図１に示した例では、第２梁１８と同じ高さに位置するが、これに代え、第２梁１８より低い高さに位置してもよいし、第２梁１８より高い高さであって第１ガセットプレート２４より低い高さに位置してもよい。第１柱１２、第２柱１４、第３柱２０、第１梁１６及び第２梁１８のそれぞれは、鉄筋コンクリートからなる図１に示した例に代え、鋼製でもよい。
【００２４】
図３に示す例では、第２ガセットプレート２６の位置が第１ガセットプレート２４の位置より低い図１に示した例に代え、第２ガセットプレート２６の位置が第１ガセットプレート２４の位置より高い。この場合、斜材２２の上端部は第２ガセットプレート２６に結合されており、斜材２２の下端部は第１ガセットプレート２４に結合されている。
【００２５】
第２梁１８は第１梁１６から上方へ間隔を置かれており、第２ガセットプレート２６は第２梁１８と同じ高さに位置する。第２ガセットプレート２６は、第２梁１８と同じ高さに位置する図３に示した例に代え、第２梁１８より高い高さに位置してもよいし、第２梁１８より低い高さであって第１ガセットプレート２４より高い高さに位置してもよい。
【００２６】
図４に示す例では、建物１０は、第１梁１６と同じ高さに位置する第１ガセットプレート２４と、該第１ガセットプレートより高い高さに位置する第２ガセットプレート２６とに加え、第１ガセットプレート２４より低い高さに位置する第３ガセットプレート４２を有する。建物１０は、第１梁１６から下方へ間隔を置かれた第３梁４４を有し、第３ガセットプレート４２は第３梁４４と同じ高さに位置する。
【００２７】
第３ガセットプレート４２は、第２ガセットプレート２６から下方へ間隔を置いて第２柱１４と第３柱２０との間に配置され、第３柱２０に取り付けられている。建物１０は、上端部が第２ガセットプレート２６に、下端部が第１ガセットプレート２４にそれぞれ取り付けられた斜材（第１斜材）２２に加え、上端部が第１ガセットプレート２４に、下端部が第３ガセットプレート４２にそれぞれ取り付けられた第２斜材４６を有する。
【００２８】
建物１０は、第３柱２０から前記第１水平方向における外方へ間隔を置かれた第４柱４８と、第３柱２０と第４柱４８との間に設けられた第４梁５０と、該第４梁から上方へ間隔を置かれた第５梁５２と、第４梁５０から下方へ間隔を置かれた第６梁５４とを有する。第４梁５０、第５梁５２及び第６梁５４はそれぞれ第１梁１６、第２梁１８及び第３梁４４と同じ高さに位置する。
【００２９】
図５、６に示す例では、建物１０は、それぞれ第２柱１４及び第３柱２０から前記第１水平方向と直交する第２水平方向に間隔を置かれた第５柱５６及び第６柱５８と、第２柱１４と第５柱５６との間に設けられた第７梁６０と、第３柱２０と第６柱５８との間に設けられた第８梁６２と、第７梁６０と第８梁６２との間に設けられた床スラブ６４とを有する。第７梁６０と第８梁６２と第１梁１６と第４梁５０とは同じ高さに位置する。
【００３０】
建物１０は、第７梁６０と第８梁６２との間に第１ガセットプレート２４に近接して設けられ、一端部が第７梁６０に、他端部が第８梁６２にそれぞれ結合された第９梁６６を有する。第９梁６６は、第７梁６０、第８梁６２、第１梁１６及び第４梁５０より断面積及び断面二次モーメントが小さい。第９梁６６は床スラブ６４を支持する。第７梁６０と第８梁６２との間に床スラブ６４が設けられている図５に示した例に代え、図４に示したように、第７梁６０と第８梁６２との間に床スラブが設けられていなくてもよい。
【００３１】
第９梁６６は、第７梁６０と第８梁６２との間に設けられている図６に示した例に代え、図７、８に示すように、第２柱１４と第３柱２０との間に設けられていてもよい。この場合、建物１０は、第２柱１４と第３柱２０との間にあって第２柱１４に固定された第１部材６８と、第２柱１４と第３柱２０との間にあって第３柱２０に固定された第２部材７０とを有する。第１部材６８は第１ガセットプレート２４に近接しており、第９梁６６の一端部は第１部材６８の上に、第９梁６６の他端部は第２部材７０の上にそれぞれ配置されている。
【００３２】
図７に示した例では、床スラブ６４の縁部が第９梁６６の上に位置するが、これに代え、図９、１０に示すように、床スラブ６４が第９梁６６の上を経て第２柱１４と第３柱２０との間へ延びていてもよい。この場合、床スラブ６４は、前記第１水平方向における一方の端部に、第１ガセットプレート２４を受け入れる凹所７２を有し、該凹所に、ロックウールのような耐火材７４が充填されている（図１０）。
【００３３】
図１１に示す例では、第２ガセットプレート２６が、第１梁１６から下方へ間隔を置かれた第２梁１８と同じ高さに位置する図１に示した例に代え、建物１０は、第２梁１８から下方へ間隔を置かれた第１０梁７６を有し、第２ガセットプレート２６は第１０梁７６と同じ高さに位置する。図１２に示す例では、第２ガセットプレート２６が、第１梁１６から上方へ間隔を置かれた第２梁１８と同じ高さに位置する図３に示した例に代え、建物１０は、第２梁１８から上方へ間隔を置かれた第１０梁７６を有し、第２ガセットプレート２６は第１０梁７６と同じ高さに位置する。
【００３４】
図１３に示す例では、建物１０の下層部分において、建物１０は、第１柱１２と第２柱１４との間の第１梁１６と、該第１梁から上方へ間隔を置かれた第２梁１８と、第１梁１６から下方へ間隔を置かれた第３梁４４と、第１梁１６と同じ高さにあって第２柱１４に取り付けられた第１ガセットプレート２４と、第２梁１８と同じ高さにあって第３柱２０に取り付けられた第２ガセットプレート２６と、第３梁４４と同じ高さにあって第３柱２０に取り付けられた第３ガセットプレート４２と、上端部が第２ガセットプレート２６に、下端部が第１ガセットプレート２４にそれぞれ取り付けられた第１斜材２２と、上端部が第１ガセットプレート２４に、下端部が第３ガセットプレート４２にそれぞれ取り付けられた第２斜材４６とを有する。
【００３５】
また、建物１０の上層部分においても、建物１０は、第１柱１２と第２柱１４との間の第１梁１６’と、該第１梁から上方へ間隔を置かれた第２梁１８’と、第１梁１６’から下方へ間隔を置かれた第３梁４４’と、第１梁１６’と同じ高さにあって第２柱１４に取り付けられた第１ガセットプレート２４’と、第２梁１８’と同じ高さにあって第３柱２０に取り付けられた第２ガセットプレート２６’と、第３梁４４’と同じ高さにあって第３柱２０に取り付けられた第３ガセットプレート４２’と、上端部が第２ガセットプレート２６’に、下端部が第１ガセットプレート２４’にそれぞれ取り付けられた第１斜材２２’と、上端部が第１ガセットプレート２４’に、下端部が第３ガセットプレート４２’にそれぞれ取り付けられた第２斜材４６’とを有する。
【００３６】
図１４に示すように、地震時に建物１０が全体的に曲げ変形したとき（図１４に示した例では、第１梁１６及び第１梁１６’のそれぞれが第１柱１２から第２柱１４に向けて（図１４における右向き）の水平力を受けている。）、建物１０の下層部分において、第１斜材２２が第１ガセットプレート２４及び第２ガセットプレート２６から引張力を受けて変形し、第２斜材４６が第１ガセットプレート２４及び第３ガセットプレート４２から圧縮力を受けて変形する。また、建物１０の上層部分において、第１斜材２２’が第１ガセットプレート２４’及び第２ガセットプレート２６’から引張力を受けて変形し、第２斜材４６’が第１ガセットプレート２４’及び第３ガセットプレート４２’から圧縮力を受けて変形する。これにより、前記振動エネルギーは消費され、建物１０の振動が低減される。
【００３７】
図１５に示すように、地震時に建物１０が全体的にせん断変形したとき、建物１０の下層部分において、第１斜材２２が第１ガセットプレート２４及び第２ガセットプレート２６から引張力を受けて変形し、第２斜材４６が第１ガセットプレート２４及び第３ガセットプレート４２から圧縮力を受けて変形する。また、建物１０の上層部分において、第１斜材２２’が第１ガセットプレート２４’及び第２ガセットプレート２６’から引張力を受けて変形し、第２斜材４６’が第１ガセットプレート２４’及び第３ガセットプレート４２’から圧縮力を受けて変形する。これにより、前記振動エネルギーは消費され、建物１０の振動が低減される。
【００３８】
図１６に示す例では、建物１０の上層部分において、建物１０は、第１柱１２と第２柱１４との間の第１梁１６’と、該第１梁から下方へ間隔を置かれた第２梁１８’と、該第２梁から下方へ間隔を置かれた第１０梁７６’と、第１梁１６’と同じ高さにあって第２柱１４に取り付けられた第１ガセットプレート２４’と、第１０梁７６’と同じ高さにあって第３柱２０に取り付けられた第２ガセットプレート２６’と、上端部が第１ガセットプレート２４’に、下端部が第２ガセットプレート２６’にそれぞれ取り付けられた斜材２２’とを有する。
【００３９】
建物１０の下層部分において、図１３に示した例と同様に、建物１０は、第１柱１２と第２柱１４との間の第１梁１６と、該第１梁から上方へ間隔を置かれた第２梁１８と、第１梁１６から下方へ間隔を置かれた第３梁４４と、第１梁１６と同じ高さにあって第２柱１４に取り付けられた第１ガセットプレート２４と、第２梁１８と同じ高さにあって第３柱２０に取り付けられた第２ガセットプレート２６と、第３梁４４と同じ高さにあって第３柱２０に取り付けられた第３ガセットプレート４２と、上端部が第２ガセットプレート２６に、下端部が第１ガセットプレート２４にそれぞれ取り付けられた第１斜材２２と、上端部が第１ガセットプレート２４に、下端部が第３ガセットプレート４２にそれぞれ取り付けられた第２斜材４６とを有する。
【００４０】
図１７、１８に示す例では、建物１０は、第１梁１６と同じ高さにあって第２柱１４に取り付けられた第１ガセットプレート２４と、該第１ガセットプレートと異なる高さにあって第３柱２０に取り付けられた第２ガセットプレート２６と、第１ガセットプレート２４を介して第２柱１４に取り付けられ、第２ガセットプレート２６を介して第３柱２０に取り付けられた斜材２２とを有し、第１ガセットプレート２４は第２柱１４の中心から前記第２水平方向における一方の側（図１８における上方）へ隔てられており、第２ガセットプレート２６は第３柱２０の中心から前記第２水平方向における前記一方の側へ隔てられている。
【００４１】
建物１０は、第２柱１４と第３柱２０との間に配置され、第２柱１４に取り付けられた第４ガセットプレート７８であって第２柱１４の中心から前記第２水平方向における他方の側（図１８における下方）へ隔てられ、第２ガセットプレート２６と同じ高さに位置する第４ガセットプレート７８と、第２柱１４と第３柱２０との間に配置され、該第３柱に取り付けられた第５ガセットプレート８０であって第３柱２０の中心から前記第２水平方向における前記他方の側へ隔てられ、第１ガセットプレート２４と同じ高さに位置する第５ガセットプレート８０と、第２柱１４と第３柱２０との間に配置され、第４ガセットプレート７８を介して第２柱１４に取り付けられ、第５ガセットプレート８０を介して第３柱２０に取り付けられた第３斜材８２とを有する。
【００４２】
図１９に示す例では、第２柱１４と第３柱２０との間に水平材（図示せず）が配置されていない図４に示した例に代え、第２柱１４と第３柱２０との間に水平材８４が配置されている。この場合、建物１０は、第２柱１４と第３柱２０との間に配置され、該第３柱に取り付けられた第６ガセットプレート８６であって第１ガセットプレート２４と同じ高さに位置する第６ガセットプレート８６と、一端部が第１ガセットプレート２４に結合され、他端部が第６ガセットプレート８６に結合された水平材８４とを有する。
【符号の説明】
【００４３】
１０    建物
１２    第１柱
１４    第２柱
１６    梁（第１梁）
２０    第３柱
２２    斜材（第１斜材）
２４    第１ガセットプレート
２６    第２ガセットプレート
４２    第３ガセットプレート
４６    第２斜材
【図１】
2011140751.tif 000003
【図２】
2011140751.tif 000004
【図３】
2011140751.tif 000005
【図４】
2011140751.tif 000006
【図５】
2011140751.tif 000007
【図６】
2011140751.tif 000008
【図７】
2011140751.tif 000009
【図８】
2011140751.tif 000010
【図９】
2011140751.tif 000011
【図１０】
2011140751.tif 000012
【図１１】
2011140751.tif 000013
【図１２】
2011140751.tif 000014
【図１３】
2011140751.tif 000015
【図１４】
2011140751.tif 000016
【図１５】
2011140751.tif 000017
【図１６】
2011140751.tif 000018
【図１７】
2011140751.tif 000019
【図１８】
2011140751.tif 000020
【図１９】
2011140751.tif 000021